【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
基体、記録層を含み、そして場合により１以上の反射層を含む光学記録媒体であって、該記録層が、式
【化１】
2007522973.tif 000001
［式中、
Ｇ１およびＧ２は、それぞれ互いに独立に、Ｃ（Ｒ５）またはＮであり；
Ｍ１は、ランタニドまたは第４族〜第１０族の遷移金属であり；
【化２】
2007522973.tif 000002
は、フタロシアニノジラジカルであり；
Ｑ１およびＱ２は、それぞれ互いに独立に、ＯまたはＳであり；
Ｒ１およびＲ２は、それぞれ互いに独立に、Ｃ１〜Ｃ１２アルキル、Ｃ３〜Ｃ１２シクロアルキル、Ｃ２〜Ｃ１２アルケニルもしくはＣ３〜Ｃ１２シクロアルケニル（それぞれは、非置換であるか、１以上の、適用できる場合は同じか異なる、Ｒ６基で置換されている）であり、またはＣ６〜Ｃ１０アリール、Ｃ１〜Ｃ９ヘテロアリール、Ｃ７〜Ｃ１２アラルキルもしくはＣ２〜Ｃ１２ヘテロアラルキル（それぞれは、非置換であるか、１以上の、適用できる場合は同じか異なる、Ｒ７基で置換されている）であり；
Ｒ３およびＲ４は、それぞれ互いに独立に、水素、ヒドロキシ、Ｓ−Ｒ８、Ｏ−Ｒ８、Ｏ−ＣＯ−Ｒ８、ＯＣＯＯＲ８、ＮＨ２、ＮＨ−Ｒ８、ＮＲ８Ｒ９、ＮＨＣＯＲ８、ＮＲ８ＣＯＲ１０、ＮＨＣＯＯＲ８、ＮＲ８ＣＯＯＲ１０、ウレイド、ＮＲ８−ＣＯ−ＮＨＲ１０、またはＣ１〜Ｃ１２アルキル、Ｃ３〜Ｃ１２シクロアルキル、Ｃ２〜Ｃ１２アルケニルもしくはＣ３〜Ｃ１２シクロアルケニル（それぞれは、非置換であるか、１以上の、適用できる場合は同じか異なる、Ｒ６基で置換されている）であり、またはＣ６〜Ｃ１０アリール、Ｃ１〜Ｃ９ヘテロアリール、Ｃ７〜Ｃ１２アラルキルもしくはＣ２〜Ｃ１２ヘテロアラルキル（それぞれは、非置換であるか、１以上の、適用できる場合は同じか異なる、Ｒ７基で置換されている）であり；
各Ｒ５は、任意のその他のＲ５と独立に、水素、またはＣ１〜Ｃ１２アルキル、Ｃ３〜Ｃ１２シクロアルキル、Ｃ２〜Ｃ１２アルケニルもしくはＣ３〜Ｃ１２シクロアルケニル（それぞれは、非置換であるか、１以上の、適用できる場合は同じか異なる、Ｒ６基で置換されている）であり、またはＣ６〜Ｃ１０アリール、Ｃ１〜Ｃ９ヘテロアリール、Ｃ７〜Ｃ１２アラルキルもしくはＣ２〜Ｃ１２ヘテロアラルキル（それぞれは、非置換であるか、１以上の、適用できる場合は同じか異なる、Ｒ７基で置換されている）であり；
Ｒ１およびＲ２、Ｒ２およびＲ３、Ｒ３およびＲ４またはＲ１およびＲ４は、結合構成要素で結合でき、またはＲ１、Ｒ２、Ｒ３およびＲ４の２つは、それぞれ、結合構成要素によって２つのその他のＲ１、Ｒ２、Ｒ３およびＲ４の１つに結合して対を形成することができ、それぞれの結合構成要素は、直接結合であり、またはＯ、ＳもしくはＮ（Ｒ８）ブリッジであり；または
Ｒ１は、Ｇ１のＲ５と一緒になって、および／またはＲ３は、Ｇ２のＲ５と一緒になって、飽和、モノ−もしくはポリ−不飽和もしくは芳香族５−または６−員環を形成し、該環は、場合により、１、２または３つの同じか異なるヘテロ原子の−Ｏ−、−Ｓ−、−Ｎ＝または−Ｎ（Ｒ８）−を含んでもよく、該環は、非置換であるか、１以上の、適用できる場合は同じか異なる、Ｒ７基で置換されており；および／または
Ｒ２は、Ｇ１のＲ５と一緒になって、および／またはＲ４は、Ｇ２のＲ５と一緒になって、飽和もしくはモノ−もしくはポリ−不飽和５−または６−員環を形成し、該環は、場合により、１、２または３つの同じか異なるヘテロ原子の−Ｏ−、−Ｓ−、−Ｎ＝または−Ｎ（Ｒ８）−を含んでもよく、該環は、非置換であるか、１以上の、適用できる場合は同じか異なる、Ｒ６基で置換されており；
Ｒ６は、ハロゲン、ヒドロキシ、Ｏ−Ｒ１１、Ｏ−ＣＯ−Ｒ１１、オキソ、Ｓ−Ｒ１１、チオキソ、ＮＨ２、ＮＨ−Ｒ１１、ＮＲ１１Ｒ１２、ＮＨ３＋、ＮＨ２Ｒ１１＋、ＮＨＲ１１Ｒ１２＋、ＮＲ１１Ｒ１２Ｒ１３＋、ＮＲ１１−ＣＯ−Ｒ１３、ＮＲ１１ＣＯＯＲ１３、シアノ、ホルミル、ＣＯＯ−Ｒ１１、カルボキシ、カルバモイル、ＣＯＮＨ−Ｒ１１、ＣＯＮＲ１１Ｒ１２、ウレイド、ＮＨ−ＣＯ−ＮＨＲ１３、ＮＲ１１−ＣＯ−ＮＨＲ１３、ホスファト、Ｐ（＝Ｏ）Ｒ１１Ｒ１３、ＰＯＲ１１ＯＲ１３、ＯＰＲ１１Ｒ１３、ＯＰＲ１１ＯＲ１３、Ｐ（＝Ｏ）Ｒ１１ＯＲ１３、Ｐ（＝Ｏ）ＯＲ１１ＯＲ１３、ＯＰ（＝Ｏ）Ｒ１１ＯＲ１３、ＯＰ（＝Ｏ）ＯＲ１１ＯＲ１３、ＯＰＯ３Ｒ１１、ＳＯ２Ｒ１１、スルファト、スルホ、Ｒ１４、Ｎ＝Ｎ−Ｒ１４、またはＣ１〜Ｃ８アルコキシもしくはＣ３〜Ｃ８シクロアルコキシ（それぞれは、非置換であるか、ハロゲンによりモノ−もしくはポリ−置換されている）であり；
Ｒ７は、どれか他のＲ７とは独立に、Ｒ１５、ハロゲン、ニトロ、シアノ、チオシアノ、ヒドロキシ、Ｓ−Ｒ８、Ｏ−Ｒ８、Ｏ−ＣＯ−Ｒ８、ＯＣＯＯＲ８、ＮＨ２、ＮＨ−Ｒ８、ＮＲ８Ｒ９、ＮＨＣＯＲ８、ＮＲ８ＣＯＲ１０、ＮＨＣＯＯＲ８、ＮＲ８ＣＯＯＲ１０、ウレイド、ＮＲ８−ＣＯ−ＮＨＲ１０、ＮＨ３＋、ＮＨ２Ｒ８＋、ＮＨＲ８Ｒ９＋、ＮＲ８Ｒ９Ｒ１０＋、Ｎ＝Ｎ−Ｒ１５、Ｎ＝ＣＲ８Ｒ９、Ｎ＝ＣＲ１６Ｒ１７、Ｃ（Ｒ１８）＝ＮＲ８、Ｃ（Ｒ１８）＝ＮＲ１６、Ｃ（Ｒ１８）＝ＣＲ１６Ｒ１７、ＣＨＯ、ＣＨＯＲ８ＯＲ１０、ＣＯＲ９、ＣＲ９ＯＲ８ＯＲ１０、ＣＯＮＨ２、ＣＯＮＨＲ８、ＣＯＮＲ８Ｒ９、ＳＯ２Ｒ８、ＳＯ３Ｒ８、ＳＯ２ＮＨ２、ＳＯ２ＮＨＲ８、ＳＯ２ＮＲ８Ｒ９、ＣＯＯＨ、ＣＯＯＲ８、Ｂ（ＯＨ）２、Ｂ（ＯＨ）（ＯＲ８）、Ｂ（ＯＲ８）ＯＲ１０、ホスファト、Ｐ（＝Ｏ）Ｒ８Ｒ１０、ＰＯＲ８ＯＲ１０、Ｐ（＝Ｏ）Ｒ８ＯＲ１０、Ｐ（＝Ｏ）ＯＲ８ＯＲ１０、ＯＰＲ８Ｒ１０、ＯＰＲ８ＯＲ１０、ＯＰ（＝Ｏ）Ｒ８ＯＲ１０、ＯＰ（＝Ｏ）ＯＲ８ＯＲ１０、ＯＰＯ３Ｒ８、スルファト、スルホ、またはＣ１〜Ｃ５アルキル、Ｃ３〜Ｃ６シクロアルキル、Ｃ１〜Ｃ５アルキルチオ、Ｃ３〜Ｃ６シクロアルキルチオ、Ｃ１〜Ｃ５アルコキシもしくはＣ３〜Ｃ６シクロアルコキシ（それぞれは、非置換であるか、１以上の、適用できる場合は同じか異なる、Ｒ６基で置換されている）であり；
Ｒ８、Ｒ９およびＲ１０は、それぞれ互いに独立に、Ｒ１５、Ｒ１９−［Ｏ−Ｃ１〜Ｃ４アルキレン］ｍ、Ｒ１９−［ＮＨ−Ｃ１〜Ｃ４アルキレン］ｍ、またはＣ１〜Ｃ８アルキル、Ｃ３〜Ｃ８シクロアルキル、Ｃ２〜Ｃ８アルケニルもしくはＣ３〜Ｃ８シクロアルケニル（それぞれは、非置換であるか、１以上の、適用できる場合は同じか異なる、ハロゲン、ヒドロキシ、Ｃ１〜Ｃ５アルコキシもしくはＣ３〜Ｃ６シクロアルコキシ基で置換されている）であり；または
共有窒素と一緒のＲ８およびＲ９は、ピロリジン、ピペリジン、ピペラジンまたはモルホリンであり（それぞれは、非置換であるか、またはＣ１〜Ｃ４アルキルで、１〜４置換されている）；または
Ｒ８およびＲ１０は、同時に、Ｃ２〜Ｃ８アルキレン、Ｃ３〜Ｃ８シクロアルキレン、Ｃ２〜Ｃ８アルケニレンまたはＣ３〜Ｃ８シクロアルケニレンであり（それぞれは、非置換であるか、１以上の、適用できる場合は同じか異なる、ハロゲン、ヒドロキシ、Ｃ１〜Ｃ５アルコキシもしくはＣ３〜Ｃ６シクロアルコキシ基で置換されている）；
Ｒ１１、Ｒ１２およびＲ１３は、それぞれ互いに独立に、Ｃ１〜Ｃ８アルキル、Ｃ３〜Ｃ８シクロアルキル、Ｃ２〜Ｃ８アルケニル、Ｃ３〜Ｃ８シクロアルケニル、Ｒ１９−［Ｏ−Ｃ１〜Ｃ４アルキレン］ｍ、Ｒ１９−［ＮＨ−Ｃ１〜Ｃ４アルキレン］ｍ、Ｃ６〜Ｃ１０アリール、Ｃ４〜Ｃ９ヘテロアリール、Ｃ７〜Ｃ１０アラルキルまたはＣ５〜Ｃ９ヘテロアラルキルであり；または
共有窒素と一緒のＲ１１およびＲ１２は、ピロリジン、ピペリジン、ピペラジンまたはモルホリンであり（それぞれは、非置換であるか、またはＣ１〜Ｃ４アルキルで、１〜４置換されている）；
Ｒ１４は、Ｃ６〜Ｃ１２アリール、Ｃ４〜Ｃ１２ヘテロアリール、Ｃ７〜Ｃ１２アラルキルまたはＣ５〜Ｃ１２ヘテロアラルキルであり（それぞれは、非置換であるか、１以上の、適用できる場合は同じか異なる、Ｒ７基で置換されている）；
Ｒ１５は、フェニル、Ｃ４〜Ｃ５ヘテロアリール、Ｃ７〜Ｃ８アラルキルまたはＣ５〜Ｃ７ヘテロアラルキルであり（それぞれは、非置換であるか、１以上の、適用できる場合は同じか異なる、Ｒ２０基で置換されている）；
Ｒ１６およびＲ１７は、それぞれ互いに独立に、ＮＲ１１Ｒ１２、ＣＮ、ＣＯＮＨ２、ＣＯＮＨＲ８、ＣＯＮＲ８Ｒ９またはＣＯＯＲ９であり；
Ｒ１８は、Ｒ１５、水素、シアノ、ヒドロキシ、Ｃ１〜Ｃ１２アルコキシ、Ｃ３〜Ｃ１２シクロアルコキシ、Ｃ１〜Ｃ１２アルキルチオ、Ｃ３〜Ｃ１２シクロアルキルチオ、アミノ、ＮＨＲ１３、ＮＲ１１Ｒ１２、ハロゲン、ニトロ、ホルミル、ＣＯＯ−Ｒ１１、カルボキシ、カルバモイル、ＣＯＮＨ−Ｒ１１、ＣＯＮＲ１１Ｒ１２、またはＣ１〜Ｃ８アルキル、Ｃ３〜Ｃ８シクロアルキル、Ｃ２〜Ｃ８アルケニルもしくはＣ３〜Ｃ８シクロアルケニル（それぞれは、非置換であるか、１以上の、適用できる場合は同じか異なる、ハロゲン、ヒドロキシ、Ｃ１〜Ｃ５アルコキシまたはＣ３〜Ｃ６シクロアルコキシ基で置換されている）であり；または
Ｒ８およびＲ１８は、同時に、Ｃ２〜Ｃ８アルキレン、Ｃ３〜Ｃ８シクロアルキレン、Ｃ２〜Ｃ８アルケニレンまたはＣ３〜Ｃ８シクロアルケニレンであり（それぞれは、非置換であるか、１以上の、適用できる場合は同じか異なる、ハロゲン、ヒドロキシ、Ｃ１〜Ｃ５アルコキシまたはＣ３〜Ｃ６シクロアルコキシ基で置換されている）；
Ｒ１９は、水素、Ｃ１〜Ｃ４アルキルまたはＣ１〜Ｃ３アルキルカルボニルであり；
Ｒ２０は、ニトロ、ＳＯ２ＮＨＲ１１、ＳＯ２ＮＲ１１Ｒ１２、またはＣ１〜Ｃ８アルキル、Ｃ３〜Ｃ８シクロアルキル、Ｃ１〜Ｃ８アルキルチオ、Ｃ３〜Ｃ８シクロアルキルチオ、Ｃ１〜Ｃ８アルコキシもしくはＣ３〜Ｃ８シクロアルコキシ（それぞれは、非置換であるか、１以上の、適用できる場合は同じか異なる、ハロゲン、ヒドロキシ、Ｃ１〜Ｃ５アルコキシまたはＣ３〜Ｃ６シクロアルコキシ基で置換されている）であり；および
ｍは、１〜４の数である］の化合物またはその互変異性体もしくは共鳴異性体を含む、光学記録媒体。
【請求項２】
Ｇ１およびＧ２が、それぞれ互いに独立に、Ｃ（Ｒ５）であり；
Ｍ１が、ランタニドまたは第４族〜第７族の遷移金属であり；
【化３】
2007522973.tif 000003
が、式
【化４】
2007522973.tif 000004
（式中、Ａ１〜Ａ８およびＺ１〜Ｚ８は、全て互いに独立に、ＮまたはＣＲ２４であり、各Ｒ２４は、その他のＲ２４と独立に、ＨまたはＲ７であり；または２つの隣接Ｒ２４は、同時に、１，４−ブタ−１，３−ジエニレン、
【化５】
2007522973.tif 000005
（それぞれは、非置換であるか、１以上の、適用できる場合は同じか異なる、Ｒ７基で置換されていて、１または２個の炭素は、窒素で置換されていてもよい）である）のフタロシアニノジラジカルであり；および
Ｑ１およびＱ２が、Ｏであり；
Ｒ３およびＲ４が、それぞれ互いに独立に、水素、ヒドロキシ、Ｓ−Ｒ８、Ｏ−Ｒ８、ＮＨ２、ＮＨ−Ｒ８、ＮＲ８Ｒ９；Ｃ１〜Ｃ８アルキル、Ｃ３〜Ｃ８シクロアルキル、Ｃ２〜Ｃ８アルケニルもしくはＣ３〜Ｃ８シクロアルケニル（それぞれは、非置換であるか、１以上の、適用できる場合は同じか異なる、Ｒ６基で置換されている）であり；またはＣ６〜Ｃ１０アリールもしくはＣ１〜Ｃ９ヘテロアリール（それぞれは、非置換であるか、１以上の、適用できる場合は同じか異なる、Ｒ７基で置換されている）であり；
Ｒ５が、水素であり、またはＲ１もしくはＲ２と一緒になって５または６−員環を形成し；
Ｒ６が、ハロゲン、ヒドロキシ、Ｏ−Ｒ１１、Ｏ−ＣＯ−Ｒ１１、オキソ、ＮＨ２、ＮＨ−Ｒ１１、ＮＲ１１Ｒ１２、または非置換もしくはハロゲンでモノ−またはポリ−置換されているＣ１〜Ｃ４アルコキシであり；および
Ｒ７が、ハロゲン、ニトロ、シアノ、チオシアノ、Ｓ−Ｒ８、Ｏ−Ｒ８、ＮＨ２、ＮＨ−Ｒ８、ＮＲ８Ｒ９、ＮＨＣＯＲ８、Ｎ＝ＣＲ８Ｒ９、Ｎ＝ＣＲ１６Ｒ１７、ＣＨＯ、ＣＨＯＲ８ＯＲ１０、ＣＯＲ９、ＣＯＮＲ８Ｒ９、ＳＯ２Ｒ８、ＣＯＯＲ８、またはＣ１〜Ｃ５アルキルもしくはＣ１〜Ｃ５アルコキシ（それぞれは、非置換であるか、１以上の、適用できる場合は同じか異なる、Ｒ６基で置換されている）である、請求項１記載の光学記録媒体。
【請求項３】
Ｇ１およびＧ２が、それぞれ互いに独立に、Ｃ（Ｒ５）であり；
Ｍ１が、Ｔｉ、ＺｒまたはＨｆであり；
【化６】
2007522973.tif 000006
が、式
【化７】
2007522973.tif 000007
（式中、
Ｒ２５〜Ｒ４０は、全て互いに独立に、Ｈ、ハロゲン、Ｏ−Ｒ８、Ｓ−Ｒ８、Ｏ−ＣＯ−Ｒ８、ＮＨ−Ｒ８、ＮＲ８Ｒ９、ＣＨ２ＯＲ１１、ＣＨ２ＮＲ１１Ｒ１２、Ｃ（Ｒ１８）＝ＣＲ１６Ｒ１７、ＣＨＯ、ＣＨＯＲ８ＯＲ１０、Ｃ（Ｒ１８）＝ＮＲ８、ＣＯＲ９、ＣＲ９ＯＲ８ＯＲ１０、ＣＮ、ＣＯＯＨ、ＣＯＯＲ８、ＣＯＮＨ２、ＣＯＮＨＲ８、ＣＯＮＲ８Ｒ９、ＳＯ２Ｒ８、ＳＯ２ＮＨ２、ＳＯ２ＮＨＲ８、ＳＯ２ＮＲ８Ｒ９、ＳＯ３Ｒ８、ＳｉＲ８Ｒ９Ｒ１０、ＰＯＲ８ＯＲ１０、Ｐ（＝Ｏ）Ｒ８Ｒ１０、Ｐ（＝Ｏ）Ｒ８ＯＲ１０、Ｐ（＝Ｏ）ＯＲ８ＯＲ１０、Ｐ（＝Ｏ）（ＮＨ２）２、Ｐ（＝Ｏ）（ＮＨＲ８）２、Ｐ（＝Ｏ）（ＮＲ８Ｒ９）２、ＯＰＲ８Ｒ１０、ＯＰＲ８ＯＲ１０、ＯＰ（＝Ｏ）Ｒ８ＯＲ１０、ＯＰ（＝Ｏ）ＯＲ８ＯＲ１０またはＯＰＯ３Ｒ８である）のフタロシアニノジラジカルであり；およびまた、
Ｑ１およびＱ２が、Ｏであり；
Ｒ１およびＲ２が、それぞれ互いに独立に、Ｃ１〜Ｃ５アルキルまたはＣ２〜Ｃ５アルケニルであり（それぞれは、非置換であるか、１以上の、適用できる場合は同じか異なる、Ｒ６基で置換されている）；またはフェニルもしくはＣ２〜Ｃ５ヘテロアリール（それぞれは、非置換であるか、１以上の、適用できる場合は同じか異なる、Ｒ７基で置換されている）であり；
Ｒ３およびＲ４が、それぞれ互いに独立に、水素、ヒドロキシ、Ｓ−Ｒ８、Ｏ−Ｒ８、ＮＨ２、ＮＨ−Ｒ８、ＮＲ８Ｒ９、またはＣ１〜Ｃ５アルキルもしくはＣ２〜Ｃ５アルケニル（それぞれは、非置換であるか、１以上の、適用できる場合は同じか異なる、Ｒ６基で置換されている）であり、または非置換フェニルもしくは１以上の、適用できる場合は同じか異なる、Ｒ７基で置換されているフェニルであり；
Ｒ５が、水素であり、またはＲ１もしくはＲ２と一緒になって５または６−員環を形成し；
Ｒ６が、ハロゲン、ヒドロキシ、Ｏ−Ｒ１１、オキソ、ＮＨ２、ＮＨ−Ｒ１１またはＮＲ１１Ｒ１２であり；および
Ｒ７が、ハロゲン、ニトロ、シアノ、Ｏ−Ｒ８、ＮＨ−Ｒ８、ＮＲ８Ｒ９、ＣＨＯ、ＣＨＯＲ８ＯＲ１０、ＣＯＲ９、ＣＯＮＲ８Ｒ９、ＳＯ２Ｒ８、ＣＯＯＲ８、またはＣ１〜Ｃ５アルキルもしくはＣ１〜Ｃ５アルコキシ（それぞれは、非置換であるか、１以上の、適用できる場合は同じか異なる、Ｒ６基で置換されている）である、請求項１または２記載の光学記録媒体。
【請求項４】
式（Ｉ）の化合物を含むことに加えて、無金属発色団を含む、請求項１〜３のいずれか１項記載の光学記録媒体。
【請求項５】
請求項１記載の式（Ｉ）の化合物の溶液が、回転塗布により溝付基体に適用される、請求項１〜４のいずれか１項記載の光学記録媒体の製造方法。
【請求項６】
請求項１〜４のいずれか１項記載の光学記録媒体上のデータが、３５０〜５００nmの波長で記録されまたは再生される、該データを記録または再生する方法。